(57)【要約】【課題】電気機器のスイッチ位置検出装置にあって、検出回路構成の簡素化により、消費電流の抑制とマイコンのポート数を削減することである。【解決手段】複数のスイッチ４７、４８と、前記複数のスイッチをポートに接続し、それぞれのスイッチの操作位置を検出するマイクロコンピュータ４３を有する制御手段４２とを備え、前記制御手段４２は前記ポートを、入力側は前記スイッチの数だけ、出力側は前記スイッチの極数だけ、それぞれ設けたものである。【選択図】図１
2009059488.tif 000002
【特許請求の範囲】
【請求項１】
複数のスイッチと、前記複数のスイッチをポートに接続し、それぞれのスイッチの操作位置を検出するマイクロコンピュータを有する制御手段とを備え、前記制御手段は前記ポートを、入力側は前記スイッチの数だけ、出力側は前記スイッチの極数だけ、それぞれ設けてなるスイッチ位置検出装置。
【請求項２】
請求項１記載のスイッチ位置検出装置を搭載し、前記スイッチ位置検出装置を電池で駆動するようにしてなる遠隔操作装置。
【請求項３】
請求項２記載の遠隔操作装置と、便器に設置され、かつ前記遠隔操作装置の操作により用便時に使用する種々の機能を制御する温水洗浄便座本体と、前記温水洗浄便座本体の便蓋とを備え、前記遠隔操作装置はその複数のスイッチにより前記温水洗浄便座本体の種々の機能を使用可能または不使用のそれぞれの状態にできるように構成した温水洗浄便座装置。
【請求項４】
温水洗浄便座本体の種々の機能を使用可能または不使用のそれぞれの状態にする遠隔操作装置の複数のスイッチの位置は、温水洗浄便座装置の設置後また事前に設定可能にしてなる請求項３記載の温水洗浄便座装置。
【発明の詳細な説明】
【技術分野】
【０００１】
本発明は、機器が使用しているスイッチの釦操作した位置（入り、切り、強中弱等）を検出する機器のスイッチ位置検出装置とそれを使用した電池駆動式の遠隔操作装置及びこの遠隔操作装置を使用した温水洗浄便座装置に関する。
【背景技術】
【０００２】
従来、１回路２接点式のスライドスイッチの釦操作した位置を複数個検出する際には、図７に示すスイッチ位置検出回路構成により、それぞれの接点に１ポートずつマイクロコンピュータ（以下、マイコンという）のポートを割り当てていた。
【０００３】
すなわち、図７に示すスイッチ位置検出装置は、１回路２接点式のスライドスイッチ１ａ、１ｂの２個を使用した際、スライドスイッチ１ａ、１ｂの釦操作による図示矢印の如く移動するスライド片１１ａ、１１ｂの入り、切りの位置を検出するマイコン３は、次の様にして判定をする。なお、前記判定は両スイッチとも同じなので、一方のスイッチについて図８に示す検出のフローチャートとともに処理を説明する。
【０００４】
すなわち、初期状態を判定する。スライドスイッチ１ａ、１ｂの入り端子間と切り端子間の共通側の極性端子２ａ、２ｂをマイコンポート１、４にそれぞれ接続し、そのポートを入力端子に設定する（図８はスライドスイッチ１ａのみ示す）。
【０００５】
また、スライドスイッチ１ａの他の入り、切りの各端子間の極性端子２１ａ、２２ａをマイコンポート２、３にそれぞれ接続し、また、スライドスイッチ１ｂの他の入り、切りの各端子間の極性端子２１ｂ、２２ｂもマイコンポート５、６にそれぞれ接続し、ハイ（以下、Ｈという）、ロー（以下、Ｌという）の出力可能なＣＭＯＳ出力端子３ａ、３ｂに設定する（図８はスライドスイッチ１ａのみ示す）。
【０００６】
そして、マイコン３が電源を投入した際に、各スライドスイッチ１ａ、１ｂの位置を判断するため、まず、スライドスイッチ１ａは、マイコンポート２に接続した入り端子間の極性端子２２ａである出力端子をＬ出力にさせ、マイコンポート３に接続した切り端子間の極性端子２１ａである出力端子をＨ出力にさせる。その時、スライドスイッチ１ａは、マイコンポート１に接続された入力端子がＬであればスイッチの切り端子間は接続されており、Ｈであればスイッチの入り端子間は接続されていない。
【０００７】
また、スライドスイッチ１ａのマイコンポート２に接続された極性端子２２ａである出力端子をＨ出力させ、マイコンポート３に接続された極性端子２１ａである出力端子をＬ出力させる。
【０００８】
スライドスイッチ１ａは、マイコンポート１に接続された入力端子がＬであればスイッチの切り端子間は接続されており、Ｈであればスイッチの入り端子間は接続されていない。このようにスイッチ位置の判断処理後、接続されているマイコン出力ポートをＨ出力、接続されていないマイコン出力ポートをＬ出力にする。このことにより、待機電流を抑制する。
【０００９】
上記しました検出流れと同様にして、スライドスイッチ１ｂは、マイコンポート５に接続した極性端子２２ｂである出力端子をＬ出力させ、マイコンポート６に接続した極性端子２１ｂである出力端子をＨ出力させる。その時、スライドスイッチ１ｂは、マイコンポート４に接続された入力端子がＬ出力であればスイッチの切り端子間は接続されており、
Ｈ出力であればスイッチの入り端子間は接続されていない。
【００１０】
また、スライドスイッチ１ｂは、マイコンポート５に接続された極性端子２２ｂである出力端子をＨ出力させ、マイコンポート６に接続された極性端子２１ｂである出力端子をＬ出力させる。
【００１１】
スライドスイッチ１ｂは、マイコンポート４に接続された入力端子がＬであればスイッチの切り端子間は接続されており、Ｈであればスイッチの入り端子間は接続されていない。このようにスイッチ位置の判断処理後、接続されているマイコン出力ポートをＨ出力とし、接続されていないマイコン出力ポートをＬ出力にする。
【００１２】
その後、各スライドスイッチのポジションを使用者が操作することにより変更された場合、変更されたスライドスイッチの入力端子のレベルがＨ入力からＬ入力に変わるので操作位置は変更されたと判断する。判断処理後、接続されているマイコン出力ポートをＨ出力とし、接続されていない方をＬ出力にする。そのことにより待機電流を抑制することができる。
【００１３】
また、マイコンのポート数（ピンの数）を減らしてスイッチの状態（操作位置）検知を行おうとする技術として図９に示す温水洗浄便座装置における状態判定装置（例えば、特許文献１を参照）が知られている。
【００１４】
すなわち、この温水洗浄便座装置における状態判定装置は、便座への使用者が着座したかどうかを検出する着座状態判別スイッチＳＷ１と、人体の局部を洗浄する温水を蓄えているタンクが満水かどうかを検出するフロート状態判別スイッチＳＷ２とを有し、これ等２個のスイッチのＯＮ、ＯＦＦにおける４つの状態を判別するために抵抗Ｒ４、Ｒ５、Ｒ６、コンデンサＣ２、Ｃ３、Ｃ４を図９に示すように結線した電圧発生回路を構成して前記４つの状態を判別するマイコン３のＡ/Ｄポートに接続している。
【００１５】
そして、マイコン３は前記２個のスイッチのＯＮ、ＯＦＦにおける４つの状態による電圧発生回路の発生する４つ異なる電圧値を入力電圧として取り込んでスイッチの位置を判別するのものである。
【特許文献１】特開平８−１７７１０７号公報
【発明の開示】
【発明が解決しようとする課題】
【００１６】
そこで、図７、図８に示す従来のスイッチ位置検出装置では、マイコン３の使用ポート数が６本になり、トータル的にマイコンのサイズが大きくなり、大きな設置スペースを必要とし、かつ価格にも影響がでてくる。
【００１７】
また、図９に示す従来の温水洗浄便座装置における状態判定装置では、マイコン３の使用ポート数は少なくなるが、スイッチ状態判別のため専用の電圧発生回路が必要になり、そして、スイッチの数が増えるごとに電圧発生回路が複雑になり、結果として大きな設置スペースと価格にも影響することが考えられる。
【００１８】
上記従来技術の問題点に鑑み、本発明が解決しようとする課題は、スイッチの位置検出回路の簡素化により、消費電流を抑制し、マイコンの部品自体を簡素化して装置自体の小型化と部品点数の少数化したスイッチ位置検出装置とそれを使用した遠隔操作装置とこの遠隔操作装置を使用した温水洗浄便座装置を提供することにある。
【課題を解決するための手段】
【００１９】
本発明のスイッチ位置検出装置は、複数のスイッチと、前記複数のスイッチをポートに接続し、それぞれのスイッチの操作位置を検出するマイコンを有する制御手段とを備え、前記制御手段は前記ポートを、入力側は前記スイッチの数だけ、出力側は前記スイッチの極数だけ、それぞれ設けてなるものである。
【００２０】
上記手段により、入力側が共通端子としてスイッチの数だけのポート数になり、出力側は同じ操作位置の共通化によりスイッチの極数だけのポート数になり、ポート数の削減による装置の小型化を図るものである。
【発明の効果】
【００２１】
本発明のスイッチ位置検出装置は、マイコンのポート数の削減による設置し易さとそのスペースの少なさによる装置の小型化を図ることができる。
【発明を実施するための最良の形態】
【００２２】
第１の発明は、複数のスイッチと、前記複数のスイッチをポートに接続し、それぞれのスイッチの操作位置を検出するマイコンを有する制御手段とを備え、前記制御手段は前記ポートを、入力側は前記スイッチの数だけ、出力側は前記スイッチの極数だけ、それぞれ設けてなるものである。
【００２３】
これにより、マイコンは入力側が共通端子としてスイッチの数だけのポート数になり、出力側は同じ操作位置の共通化によりスイッチの極数だけのポート数になり、出力ポート数の削減で設置がし易くなるとともに、大きなスペースが要らなくなり、装置の小型化が可能になる。
【００２４】
第２の発明は、特に、第１の発明におけるスイッチ位置検出装置を搭載し、前記スイッチ位置検出装置を電池で駆動するようにしてなる遠隔操作装置である。これにより、スイッチ位置検出装置の小型化により、電池駆動の遠隔操作装置の小型化に繋がる。
【００２５】
第３の発明は、特に、第２の発明の遠隔操作装置と、便器に設置され、かつ前記遠隔操作装置の操作により用便時に使用する種々の機能を制御する温水洗浄便座本体と、前記温水洗浄便座本体の便蓋とを備え、前記遠隔操作装置はその複数のスイッチにより前記温水洗浄便座本体の種々の機能を使用可能または不使用のそれぞれの状態にできるように構成した温水洗浄便座装置である。
【００２６】
これにより、温水洗浄便座装置は遠隔操作装置の設置スペースが少なくなり、設置がし易くなる。
【００２７】
第４の発明は、第３の発明において、温水洗浄便座本体の種々の機能を使用可能または不使用のそれぞれの状態にする遠隔操作装置の複数のスイッチの操作位置は、温水洗浄便座装置の設置後または事前に設定可能にしてなる温水洗浄便座装置である。これにより、温水洗浄便座装置の設置がし易くなる。
【００２８】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００２９】
（実施の形態１）
図１は、本発明の実施の形態１におけるスイッチ位置検出装置の構成図を示し、併せて前記装置を組み込んだ遠隔操作装置とこれを搭載した温水洗浄便座装置の要部を示すブロ
ック図も兼ねている。
【００３０】
図１において、トイレ室の便器に便座を設置して使用する温水洗浄便座装置は、便座の後部に設けた温水洗浄便座本体４０に、用便後の人体局部を温水で洗う局部洗浄機能、濡れた局部を乾かす乾燥機能、汚物の臭いを吸引しての消臭機能、人がトイレに入退室すると便座蓋を自動的に開閉させる機能、人がトイレに入室すると便器面を前もって洗浄させ便等の排出物を付着させ難くする機能等の種々の機能を備え、トイレ室の壁に設置した図２に示す遠隔操作装置４１（以下、リモコンという）のスイッチの釦操作で前記機能を使用者が使用できるようにしてある。
【００３１】
リモコン４１は、電池を電源として駆動し、そして本発明の実施の形態１のスイッチ位置検出装置を組み込んでおり、制御手段４２としてのマイコン４３およびその周辺回路の電源が立ち上がった際に前記スイッチ位置検出装置は、スイッチの操作状態（例えば、入り、切りの操作位置）がどちらにあるのか検出する必要がある。
【００３２】
すなわち、本実施の形態のスイッチ位置検出装置は、人がトイレ室に入退出するのを人体検出センサ４４で検出し、その信号を受けた温水洗浄便座本体４０が便蓋自動開閉装置４５の機能を、そして便器面を前もって洗浄させ便等の排出物を付着させ難くするため便器内に水を流す手段４６の機能を、使用者がそれぞれ使用するか、不使用にするかを、自動開閉スイッチ４７および送水スイッチ４８により、切り（前記機能を不使用にする）、入り（前記機能を使用にする）状態に操作釦４７ａ、４８ａのスライド操作でスライド片４７ｂ、４８ｂを切り端子間または入り端子間の位置に前もって設定した状態がどちらにあるかを、後述の（表１）を実行するプログラムソフトを内蔵したマイコン４３により検出するものである。
【００３３】
自動開閉スイッチ４７および送水スイッチ４８は、１回路２接点のスライドスイッチを使用し、自動開閉スイッチ４７の一方の入り端子と切り端子を共通に接続した出力端子のマイコンポート１をプルアップ抵抗接続してＨ出力し、他方の入り端子を接続したマイコンポート３および他方の切り端子を接続したマイコンポート４をそれぞれ入力にする。
【００３４】
そして、判断基準としてＨ入力されている方が接続されていると認識させる。その後、送水スイッチ４８の状態の判断をするために自動開閉スイッチ４７の出力端子が接続されたマイコンポート１をハイインピーダンスにする。同様にして、送水スイッチ４８の一方の入り端子と切り端子を共通に接続した出力端子のマイコンポート２をプルアップ抵抗接続してＨ出力し、自動開閉スイッチ４７と共通に、他方の入り端子を接続したマイコンポート３および他方の切り端子を接続したマイコンポート４をそれぞれ入力にする。そして、判断基準としてＨ入力されている方が接続されていると認識させる。
【００３５】
このようにして自動開閉スイッチ４７および送水スイッチ４８のそれぞれの操作位置がマイコン４３により判定されるが、自動開閉スイッチ４７の出力端子が接続されたマイコンポート１および送水スイッチ４８の出力端子が接続されたマイコンポート２がハイインピーダンスのままであるとスライドスイッチの変化が認識できないので、今回は２つのスライドスイッチで構成されているため、４つの組み合わせでスイッチの操作位置があり得ることになる。
【００３６】
例えば、初期検出の結果、図３のような場合になったとした場合（状態１：自動開閉スイッチ４７が切、送水スイッチ４８が切）にはリモコン４１においては、電池の消費電流を抑えるためにマイコンポート１、２はプルアップ抵抗接続して入力設定にし、マイコンポート４をプルアップ抵抗接続して入力設定しておく。また、接続されていないマイコンポート３においてはＬ出力しておく。この状態にしておけば、待機時電流が流れることは
ない。
【００３７】
この状態１で自動開閉または送水のどちらかのスイッチ４７、４８の操作位置が変更されると、マイコン４３は状態が変更されたことを認識し、例えば、自動開閉スイッチ４７が図４に示す状態２のように切から入に変更されるとマイコンポート１はＬ出力し、マイコンポート３はＬ出力、マイコンポート４はプルアップ抵抗接続して入力設定にする。マイコンポート２はそのままにする。
【００３８】
また、図３に示す状態１で送水スイッチ４８が図５に示す状態３のように切から入に変更されるとマイコンポート１はＬ出力し、マイコンポート３はプルアップ抵抗接続して入力設定、マイコンポート４はＬ出力する。マイコンポート２はそのままにする。
【００３９】
今度は、図６に示す状態４で自動開閉スイッチ４７が切から入に変更され、かつ送水スイッチ４８も切から入に両方とも変更された場合、マイコンポート１、２はプルアップ抵抗接続して入力設定、マイコンポート３はＨ出力、マイコンポート４はＬ出力にする。
【００４０】
上記のようにスライドスイッチを２個設けた場合は、４つ状態のどれかになる。次の（表１）は、各スイッチの操作位置の状態におけるマイコンポートの設定を示す。
【００４１】
【表１】
2009059488.tif 000003
【００４２】
この回路構成およびマイコン４３による制御をすることにより、電池駆動式の機器の一例であるリモコンにおけるスライドスイッチの操作位置を検出し待機電流を抑制することができる。その結果、マイコンの使用ポート数を削減することになり部品の大きさを小さくすることができ、設置スペースも従来に比べ少なくなり小型化が可能になり、機器の設置がスペース的に設置し易くなり、価格的にも効果が期待できる。
【００４３】
なお、図２に示すリモコン４１は、表面の下半分４１ａが矢印で示す様に開閉式に構成され、その裏面の両サイドに自動開閉スイッチ４７と送水スイッチ４８の各操作釦４７ａ、４８ａが設けられている。
【００４４】
なお、上記実施の形態におけるスイッチ位置検出装置では、スライドスイッチを使用して本発明を説明したが、入り切りの位置に変わる１回路１接点式のスイッチ、強、中、弱の位置に変わる１回路３接点式のスイッチ等の位置検出に適用しても、本実施の形態と同等の作用効果を期待できるものである。
【産業上の利用可能性】
【００４５】
以上のように、本発明にかかるスイッチ位置検出装置は、電気機器のスイッチの位置検出、機器の遠隔操作装置、温水洗浄便座装置に適用できる。
【図面の簡単な説明】
【００４６】
【図１】本発明の実施の形態１におけるスイッチ位置検出装置を示す構成図で、併せて前記装置を組み込んだ遠隔操作装置及びこれを搭載した温水洗浄便座装置の要部も示す図
【図２】同実施の形態１のスライドスイッチの位置検出装置を搭載した温水洗浄便座装置の遠隔操作装置の正面図
【図３】本発明の実施の形態１におけるスライドスイッチの位置検出装置の状態１の構成図
【図４】同実施の形態１におけるスライドスイッチの位置検出装置の状態２の回路構成図
【図５】同実施の形態１におけるスライドスイッチの位置検出装置の状態３の構成図
【図６】同実施の形態１におけるスライドスイッチの位置検出装置の状態４の構成図
【図７】従来の１回路２接点式スライドスイッチの位置検出回路の構成図
【図８】同スライドスイッチの位置検出方法のフローチャート
【図９】従来の温水洗浄便座装置における状態判定装置の回路図
【符号の説明】
【００４７】
４１  遠隔操作装置
４２  制御手段
４３  マイコン
４７  自動開閉スイッチ（スイッチ）
４８  送水スイッチ（スイッチ）
【図１】
2009059488.tif 000004
【図３】
2009059488.tif 000005
【図４】
2009059488.tif 000006
【図５】
2009059488.tif 000007
【図６】
2009059488.tif 000008
【図７】
2009059488.tif 000009
【図８】
2009059488.tif 000010
【図９】
2009059488.tif 000011
【図２】
2009059488.tif 000012